(57)【要約】 移動通信システムは、携帯電話装置１と、ＧＳＭ方式ネットワーク１００と、Ｗ−ＣＤＭＡ方式ネットワーク２００と、から構成される。携帯電話装置１の制御部１７はＧＳＭ方式セルサーチ処理部１３またはＷ−ＣＤＭＡ方式セルサーチ処理部１６で検出したＧＳＭセルまたはＷ−ＣＤＭＡセルのＤＬの周波数によって、記憶部１８のＧＳＭ実運用周波数情報またはＷ−ＣＤＭＡ実運用周波数情報を更新する。制御部１７はそれらの実運用周波数情報からそれぞれの周波数帯域において使用されていない未使用周波数を決定し、ＧＳＭ方式セルサーチ処理部１３またはＷ−ＣＤＭＡ方式セルサーチ処理部１６に対して、未使用周波数を除く運用されている可能性がある周波数のみでセルサーチ処理を実施させる。
2007108305.tif 000002
【特許請求の範囲】
【請求項１】
複数の無線通信方式及び複数の周波数帯域にそれぞれ対応する通信機能を有する携帯端末装置と、
前記携帯端末装置との間において通信を行う基地局と、
からなる移動通信システムであって、
前記携帯端末装置は制御装置を備えており、
前記制御装置は、
周波数情報として前記無線通信方式の周波数帯域毎に実際に運用される周波数を示す実運用周波数情報と実際に運用されていない周波数を示す未使用周波数情報とを管理し、
前記実運用周波数情報から未使用周波数を決定し、
その決定された未使用周波数によって前記無線通信方式の周波数帯域毎の未使用周波数情報を決定し、
前記未使用周波数情報により管理された無線通信方式の周波数を対象としたセルサーチ処理の実施を抑止するものであることを特徴とする移動通信システム。
【請求項２】
前記制御装置は、前記未使用周波数情報により管理された無線通信方式の周波数以外の、実際に運用されている可能性がある無線通信方式の周波数のみを対象として前記セルサーチ処理を行うことを特徴とする請求項１に記載の移動通信システム。
【請求項３】
前記制御装置は、過去に使用していた少数の周波数のみを対象としたセルサーチ処理と、過去に使用していた無線通信方式及び周波数帯域を対象としたセルサーチ処理とを併用して前記セルサーチ処理を実施することを特徴とする請求項１または２に記載の移動通信システム。
【請求項４】
前記制御装置は、前記実運用周波数情報として、前記セルサーチ処理において実際に検出した周波数を記憶することを特徴とする請求項１乃至３の何れか一項に記載の移動通信システム。
【請求項５】
前記制御装置は、前記実運用周波数情報として、前記基地局から送信される報知情報及び測定制御情報の隣接セル情報に含まれている周波数の情報を記憶することを特徴とする請求項１乃至４の何れか一項に記載の移動通信システム。
【請求項６】
前記制御装置は、前記実運用周波数情報を、任意の時点において、運用が確認されている周波数のみを用いて随時更新することを特徴とする請求項１乃至５の何れか一項に記載の移動通信システム。
【請求項７】
前記制御装置は、任意の時点において、運用が確認されている周波数を過去の実運用周波数情報として記憶しておくことを特徴とする請求項１乃至５の何れか一項に記載の移動通信システム。
【請求項８】
前記制御装置は、任意の時点において運用が確認されている周波数と過去に運用が確認されていた周波数とによって、現在の実運用周波数情報と過去の実運用周波数情報とを個別に記憶することを特徴とする請求項１乃至５の何れか一項に記載の移動通信システム。
【請求項９】
前記制御装置は、前記携帯端末装置が圏外にいる時間が予め定められた時間を過ぎたとき、前記携帯端末装置が新しい国に移動したとき、あるいは、前記携帯端末装置が有するＧＰＳ（Ｇｌｏｂａｌ  Ｐｏｓｉｔｉｏｎｉｎｇ  Ｓｙｓｔｅｍ）機能により前記携帯端末装置の移動を検出したときには、前記過去の実運用周波数情報を削除することを特徴とする請求項７または８に記載の移動通信システム。
【請求項１０】
前記制御装置は、前記実運用周波数情報を国毎に管理し、あるいは、前記実運用周波数情報を前記携帯端末装置が有するＧＰＳ（Ｇｌｏｂａｌ  Ｐｏｓｉｔｉｏｎｉｎｇ  Ｓｙｓｔｅｍ）機能に基づく前記携帯端末装置の位置情報とともに個別に管理することを特徴とする請求項１乃至９の何れか一項に記載の移動通信システム。
【請求項１１】
前記携帯端末装置は携帯電話装置であることを特徴とする請求項１乃至１０の何れか一項に記載の移動通信システム。
【請求項１２】
複数の無線通信方式及び複数の周波数帯域にそれぞれ対応する通信機能を有し、前記通信機能により基地局との間で通信を行う携帯端末装置であって、
前記携帯端末装置は制御装置を備えており、
前記制御装置は、
周波数情報として前記無線通信方式の周波数帯域毎に実際に運用される周波数を示す実運用周波数情報と実際に運用されていない周波数を示す未使用周波数情報とを管理し、
前記実運用周波数情報から未使用周波数を決定し、
その決定された未使用周波数によって前記無線通信方式の周波数帯域毎の未使用周波数情報を決定し、
前記未使用周波数情報により管理された無線通信方式の周波数を対象としたセルサーチ処理の実施を抑止するものであることを特徴とする携帯端末装置。
【請求項１３】
前記制御装置は、前記未使用周波数情報により管理された無線通信方式の周波数以外の、実際に運用されている可能性がある無線通信方式の周波数のみを対象として前記セルサーチ処理を行うことを特徴とする請求項１２に記載の携帯端末装置。
【請求項１４】
前記制御装置は、過去に使用していた少数の周波数のみを対象としたセルサーチ処理と、過去に使用していた無線通信方式及び周波数帯域を対象としたセルサーチ処理とを併用して前記セルサーチ処理を実施することを特徴とする請求項１２または１３に記載の携帯端末装置。
【請求項１５】
前記制御装置は、前記実運用周波数情報として、前記セルサーチ処理において実際に検出した周波数を記憶することを特徴とする請求項１２乃至１４の何れか一項に記載の携帯端末装置。
【請求項１６】
前記制御装置は、前記実運用周波数情報として、前記基地局から送信される報知情報及び測定制御情報の隣接セル情報に含まれている周波数の情報を記憶することを特徴とする請求項１２乃至１５の何れか一項に記載の携帯端末装置。
【請求項１７】
前記制御装置は、前記実運用周波数情報を、任意の時点において、運用が確認されている周波数のみを用いて随時更新することを特徴とする請求項１２乃至１６の何れか一項に記載の携帯端末装置。
【請求項１８】
前記制御装置は、任意の時点において、運用が確認されている周波数を過去の実運用周波数情報として記憶しておくことを特徴とする請求項１２乃至１６の何れか一項に記載の携帯端末装置。
【請求項１９】
前記制御装置は、任意の時点において運用が確認されている周波数と過去に運用が確認されていた周波数とによって、現在の実運用周波数情報と過去の実運用周波数情報とを個別に記憶することを特徴とする請求項１２乃至１６の何れか一項に記載の携帯端末装置。
【請求項２０】
前記制御装置は、前記携帯端末装置が圏外にいる時間が予め定められた時間を過ぎたとき、前記携帯端末装置が新しい国に移動したとき、あるいは、前記携帯端末装置が有するＧＰＳ（Ｇｌｏｂａｌ  Ｐｏｓｉｔｉｏｎｉｎｇ  Ｓｙｓｔｅｍ）機能により前記携帯端末装置の移動を検出したときには、前記過去の実運用周波数情報を削除することを特徴とする請求項１８または１９に記載の携帯端末装置。
【請求項２１】
前記制御装置は、前記実運用周波数情報を国毎に管理し、あるいは、前記実運用周波数情報を前記携帯端末装置が有するＧＰＳ（Ｇｌｏｂａｌ  Ｐｏｓｉｔｉｏｎｉｎｇ  Ｓｙｓｔｅｍ）機能に基づく前記携帯端末装置の位置情報とともに個別に管理することを特徴とする請求項１２乃至２０の何れか一項に記載の携帯端末装置。
【請求項２２】
前記携帯端末装置は携帯電話装置であることを特徴とする請求項１２乃至２１の何れか一項に記載の携帯端末装置。
【請求項２３】
複数の無線通信方式及び複数の周波数帯域にそれぞれ対応する通信機能を有する携帯端末装置と基地局との間で行われる通信の周波数を検出する周波数検出方法であって、
周波数情報として前記無線通信方式の周波数帯域毎に実際に運用される周波数を示す実運用周波数情報と実際に運用されていない周波数を示す未使用周波数情報とを管理する第一の過程と、
前記実運用周波数情報から未使用周波数を決定する第二の過程と、
決定された未使用周波数によって前記無線通信方式の周波数帯域毎の未使用周波数情報を決定する第三の過程と、
前記未使用周波数情報により管理された無線通信方式の周波数を対象としたセルサーチ処理の実施を抑止する第四の過程と、
を備え、前記第一乃至第四の過程は前記携帯端末装置により実行されるものであることを特徴とする周波数検出方法。
【請求項２４】
前記携帯端末装置が、前記未使用周波数情報により管理された無線通信方式の周波数以外の実際に運用されている可能性がある無線通信方式の周波数のみを対象として前記セルサーチ処理を行うことを特徴とする請求項２３に記載の周波数検出方法。
【請求項２５】
前記携帯端末装置が、過去に使用していた少数の周波数のみを対象としたセルサーチ処理と、過去に使用していた無線通信方式及び周波数帯域を対象としたセルサーチ処理とを併用して前記セルサーチ処理を実施することを特徴とする請求項２３または２４に記載の周波数検出方法。
【請求項２６】
前記携帯端末装置が、前記実運用周波数情報として、前記セルサーチ処理において実際に検出した周波数を記憶することを特徴とする請求項２３乃至２５の何れか一項に記載の周波数検出方法。
【請求項２７】
前記携帯端末装置が、前記実運用周波数情報として、前記基地局から送信される報知情報及び測定制御情報の隣接セル情報に含まれている周波数の情報を記憶することを特徴とする請求項２３乃至２６の何れか一項に記載の周波数検出方法。
【請求項２８】
前記携帯端末装置が、前記実運用周波数情報を、任意の時点において、運用が確認されている周波数のみを用いて随時更新することを特徴とする請求項２３乃至２７の何れか一項に記載の周波数検出方法。
【請求項２９】
前記携帯端末装置が、任意の時点において、運用が確認されている周波数を過去の実運用周波数情報として記憶しておくことを特徴とする請求項２３乃至２７の何れか一項に記載の周波数検出方法。
【請求項３０】
前記携帯端末装置が、任意の時点において、運用が確認されている周波数と過去に運用が確認されていた周波数とによって現在の実運用周波数情報と過去の実運用周波数情報とを個別に記憶することを特徴とする請求項２３乃至２７の何れか一項に記載の周波数検出方法。
【請求項３１】
前記携帯端末装置は、前記携帯端末装置が圏外にいる時間が予め定められた時間を過ぎたとき、前記携帯端末装置が新しい国に移動したとき、あるいは、前記携帯端末装置が有するＧＰＳ（Ｇｌｏｂａｌ  Ｐｏｓｉｔｉｏｎｉｎｇ  Ｓｙｓｔｅｍ）機能により前記携帯端末装置の移動を検出したときには、前記過去の実運用周波数情報を削除することを特徴とする請求項２９または３０に記載の周波数検出方法。
【請求項３２】
前記携帯端末装置は、前記実運用周波数情報を国毎に管理し、あるいは、前記実運用周波数情報を前記携帯端末装置が有するＧＰＳ（Ｇｌｏｂａｌ  Ｐｏｓｉｔｉｏｎｉｎｇ  Ｓｙｓｔｅｍ）機能に基づく前記携帯端末装置の位置情報とともに個別に管理することを特徴とする請求項２３乃至３１の何れか一項に記載の周波数検出方法。
【請求項３３】
複数の無線通信方式及び複数の周波数帯域にそれぞれ対応する通信機能を有する携帯端末装置と基地局との間で行われる通信の周波数を検出する周波数検出方法を前記携帯端末装置に内蔵されているコンピュータに実行させるためのプログラムであって、
前記プログラムが行う処理は、
周波数情報として前記無線通信方式の周波数帯域毎に実際に運用される周波数を示す実運用周波数情報と実際に運用されていない周波数を示す未使用周波数情報とを管理する第一の処理と、
前記実運用周波数情報から未使用周波数を決定する第二の処理と、
決定された未使用周波数によって前記無線通信方式の周波数帯域毎の未使用周波数情報を決定する第三の処理と、
前記未使用周波数情報により管理された無線通信方式の周波数を対象としたセルサーチ処理の実施を抑止する第四の処理と、
からなるものであるプログラム。
【発明の詳細な説明】
【技術分野】
【０００１】
本発明は、移動通信システム、同移動通信システムに用いる携帯端末装置及びそれらに用いる周波数検出方法並びに同方法を実行するプログラムに関し、特に、複数の無線通信方式及び複数の周波数帯域に対応した携帯電話装置その他の携帯端末装置における周波数検出方法に関する。
【背景技術】
【０００２】
携帯電話システムの無線通信方式としては、ＴＤＭＡ（Ｔｉｍｅ  Ｄｉｖｉｓｉｏｎ  Ｍｕｌｔｉｐｌｅ  Ａｃｃｅｓｓ：時分割多元接続）方式とＣＤＭＡ（Ｃｏｄｅ  Ｄｉｖｉｓｉｏｎ  Ｍｕｌｔｉｐｌｅ  Ａｃｃｅｓｓ：符号分割多元接続）方式とがあり、さらに、ＴＤＭＡ方式のＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）やＰＤＣ（Ｐｅｒｓｏｎａｌ  Ｄｉｇｉｔａｌ  Ｃｅｌｌｕｌａｒ）、ＣＤＭＡ方式のＷ−ＣＤＭＡ（Ｗｉｄｅｂａｎｄ−ＣＤＭＡ）、ｃｄｍａ２０００、ＴＤ−ＳＣＤＭＡ（Ｔｉｍｅ  Ｄｉｖｉｓｉｏｎ−Ｓｙｓｔｅｍ  Ｃｏｄｅ  Ｄｉｖｉｓｉｏｎ  Ｍｕｌｔｉｐｌｅ  Ａｃｃｅｓｓ）等の複数の無線通信方式が使用されている（例えば、非特許文献１参照）。【０００３】
このように携帯電話システムの無線通信方式としては様々な無線通信が存在するが、それぞれの無線通信方式には、ある特定の周波数が割り当てられており、異なる無線通信方式において同一の周波数が使用されないように考慮されている。【０００４】
しかしながら、周波数は有限であることから、携帯電話システムにおいては、異なる無線通信方式において同一の周波数帯域が使用されている。例えば、第２世代と呼ばれるＧＳＭやＰＤＣ、第３世代と呼ばれるＷ−ＣＤＭＡやｃｄｍａ２０００では、８００ＭＨｚから２ＧＨｚまでの間の周波数を使用しており、この周波数の使用状況はそれぞれの国毎に異なり、多様化している。【０００５】
一方、国際化によって国際ローミングが進む中で、複数の無線通信方式に対応し、あるいは、複数の周波数帯域に対応することが可能な携帯電話装置が一般的となっている。例えば、トリプルバンド（ＧＳＭ９００、ＤＣＳ１８００、ＰＣＳ１９００）、クアッドバンド（ＧＳＭ８５０、ＧＳＭ９００、ＤＣＳ１８００、ＰＣＳ１９００）に対応可能であり、あるいは、デュアルモード（ＧＳＭ、Ｗ−ＣＤＭＡ）、トリプルモード（ＧＳＭ、Ｗ−ＣＤＭＡ、ｃｄｍａ２０００）に対応可能な携帯電話装置が実用化されている。【０００６】
このように世界の国毎に周波数の使用状況が多様化する中で、より多くの無線通信方式または周波数帯域に１台の携帯電話装置で対応することが求められている。複数の無線通信方式または複数の周波数帯域に１台の携帯電話装置で対応するためには、ある特定の周波数で運用されている無線通信方式を携帯電話装置が検出することができることが必要があるが、この検出処理は、対応すべき無線通信方式または周波数帯域が多くなれば多くなるほど、検出時間が長くなったり、消費電流が大きくなったりする問題が増えてくる。【０００７】
このため、効率的に無線通信方式を特定し、周波数を検出する方法が必要となっている。
【非特許文献１】立川敬二監修「Ｗ−ＣＤＭＡ移動通信方式１章概説」（丸善株式会社刊、平成１３年６月２５日発行、ｐｐ．１−２１）
【発明の開示】
【発明が解決しようとする課題】
【０００８】
従来、携帯電話装置に代表される移動局においては、受信信号の電界強度を測定する受信電界強度測定処理、ある無線通信方式のセルに同期するセルサーチ処理、基地局から送信される報知情報を取得する報知情報取得処理を実施して、待ち受けセルの検出を行っている。【０００９】
移動局は、待ち受け中においては、基地局から送信された報知情報に含まれる隣接セル情報に含まれる周波数の情報を使用して、周辺に存在するセルサーチ処理を行い、複数のセルから品質の良いセルを選択する。さらに、移動局は、使用した周波数や隣接セルの周波数を記憶しておき、電源がオンである時または電波の圏外時に、直前または過去に使用していた周波数を使用することによって、短時間で待ち受けセルを検出することが可能となる。【００１０】
また、複数の無線通信方式または複数の周波数帯域に対応している場合には、移動局は、無線通信方式毎に使用した周波数を記憶しておき、電源がオンである時または電波の圏外時に、直前または過去に使用していた無線通信方式または周波数帯域の情報を活用することによって、短時間で待ち受けセルを検出することが可能となる。【００１１】
しかしながら、この方法では、移動局にとって初めての地域においては、対応している全ての無線通信方式を用いて、かつ、全ての周波数帯域の周波数において、セルサーチ処理を実施する必要があり、セルサーチ処理の長時間化及び電流消費量の増大が問題となる。【００１２】
また、移動局が、運用されている無線通信方式または周波数が相互に異なる地域間を頻繁に移動する場合には、短時間で待ち受けセルを検出することも不可能になることがある。【００１３】
さらに、携帯電話装置が選択中のネットワークを検出することができない圏外状態においては、あるいは、選択中のネットワークより優先度の高いネットワークを選択する自動式（Ａｕｔｏｍａｔｉｃ）ネットワーク選択手順や、携帯電話装置の使用者が使用するネットワークを指定する手動式（Ｍａｎｕａｌ）ネットワーク選択手順の中で実施される通信可能なネットワークの検出手順においては、対応している全ての無線通信方式または周波数帯域の周波数でセルサーチ処理を実施する必要があり、セルサーチ処理の長時間化及び電流消費量の増大が問題となる。【００１４】
別の従来の方法として、セルサーチ処理や報知情報取得処理と比較して、受信電界強度測定処理は処理時間が短い（従って、消費電流が小さい）ので、受信電界強度測定処理を実施した後に、受信電界強度の強い順にセルサーチ処理を実施したり、あるいは、ある一定の受信電界強度以上の周波数のみについてセルサーチ処理を実施したりすることにより、セルサーチに要する時間を短縮したり、電流消費量を減らすことが可能となる。この方法によれば、上述した方法では問題が生じる場合でも、効果がある。【００１５】
しかしながら、この方法では、受信電界強度測定処理において、無線通信方式を特定できないため、異なる無線通信方式が運用されている周波数において、セルに同期するセルサーチ処理を実施してしまうことがあり、結局、そのセルサーチ処理が無駄となることがある。【００１６】
以下、図２乃至図５を参照して、無線通信方式としてＧＳＭ方式及びＷ−ＣＤＭＡ方式を例にして、この課題について説明する。【００１７】
ＧＳＭ方式で使用される周波数は３ＧＰＰ  ＴＳ  ４５．００１（非特許文献２）において規定されており、Ｗ−ＣＤＭＡ方式で使用される周波数は、３ＧＰＰ  ＴＳ２５．１０１（非特許文献３）において規定されている。【００１８】
図２は、８００ＭＨｚから１０００ＭＨｚまでの間の周波数で運用されるＧＳＭ方式の周波数帯域とＷ−ＣＤＭＡ  ＦＤＤ（Ｆｒｅｑｕｅｎｃｙ  Ｄｉｖｉｓｉｏｎ  Ｄｕｐｌｅｘ）方式の周波数帯域とを表したものである。図３は、１７００ＭＨｚから２２００ＭＨｚまでの間の周波数で運用されるＧＳＭ方式の周波数帯域とＷ−ＣＤＭＡ  ＦＤＤ方式の周波数帯域とを表したものである。【００１９】
図２及び図３に示すように、ＧＳＭ方式及びＷ−ＣＤＭＡ  ＦＤＤ方式において使用される可能性がある周波数帯域は重なっており、どの周波数帯域においてどの無線通信方式が使用されているかは、国毎に事情が異なる。【００２０】
例えば、図３において、Ｗ−ＣＤＭＡ  ＦＤＤ  Ｂａｎｄ  Ｉの周波数が運用されている場合、ＵＬ（アップリンク：移動局から基地局への方向）の周波数として１９２０ＭＨｚから１９８０ＭＨｚまでの間の周波数が使用されているが、ＧＳＭ  １９００  ＢａｎｄやＷ−ＣＤＭＡ  ＦＤＤ  Ｂａｎｄ  ＩＩで運用が想定されている各ＤＬ（ダウンリンク：基地局から移動局への方向）の周波数は１９３０ＭＨｚから１９９０ＭＨｚまでの周波数であり、１９３０ＭＨｚから１９８０ＭＨｚまでの間の周波数が重なり合っている。【００２１】
この場合、移動局は、１９３０ＭＨｚから１９８０ＭＨｚまでの間の周波数がある一定の受信電界強度以上となるため、Ｗ−ＣＤＭＡ  ＦＤＤ  Ｂａｎｄ  ＩのＵＬの周波数であるにも関わらず、ＧＳＭ  １９００  ＢａｎｄのＤＬの周波数が存在していると想定して、あるいは、Ｗ−ＣＤＭＡ  ＦＤＤ  Ｂａｎｄ  ＩＩのＤＬの周波数が存在していると想定して、セルサーチ処理を実施してしまうことになる。結局、これらのセルサーチ処理は、無駄に時間と電流を消費することになる。【００２２】
また、図２及び図３に示すように、ＧＳＭ  ８５０  ＢａｎｄとＷ−ＣＤＭＡ  ＦＤＤ  Ｂａｎｄ  Ｖとでは、ＵＬ及びＤＬの双方において同一の周波数帯域が規定されている（ＵＬ：８２４−８４９ＭＨ、ＤＬ：８６９−８９４ＭＨｚ）。同様に、Ｅ−ＧＳＭ  ９００  ＢａｎｄとＷ−ＣＤＭＡ  ＦＤＤ  Ｂａｎｄ  ＶＩＩＩとでは、ＵＬ及びＤＬの双方において同一の周波数帯域が規定されている（ＵＬ：８８０−９１５ＭＨ、ＤＬ：９２５−９６０ＭＨｚ）。同様に、ＧＳＭ  １８００  ＢａｎｄとＷ−ＣＤＭＡ  ＦＤＤ  Ｂａｎｄ  ＩＩＩとでは、ＵＬ及びＤＬの双方において同一の周波数帯域が規定されている（ＵＬ：１７１０−１７８５ＭＨ、ＤＬ：１８０５−１８８０ＭＨｚ）。同様に、ＧＳＭ  １９００  ＢａｎｄとＷ−ＣＤＭＡ  ＦＤＤ  Ｂａｎｄ  ＩＩとでは、ＵＬ及びＤＬの双方において同一の周波数帯域が規定されている（ＵＬ：１８５０−１９１０５ＭＨ、ＤＬ：１９３０−１９９０ＭＨｚ）。どちらの無線通信方式が使用されているかは、それぞれの国や、それぞれのオペレータによって異なる。【００２３】
図４及び図５は、第２世代のＧＳＭ方式から第３世代のＷ−ＣＤＭＡ方式へ移行していく過程において、オペレータによって無線通信方式が異なる場合の周波数配置の例を表したものである。【００２４】
実際に異なる無線通信方式を運用する際には、相互の無線通信方式間での干渉を避けるためのガードバンド（いずれの無線通信方式においても運用されていない周波数帯域）が設定されることも考えられるが、本例ではガードバンドが存在しない例を示している。【００２５】
図４は、ＧＳＭ  ８５０  ＢａｎｄとＷ−ＣＤＭＡ  ＦＤＤ  Ｂａｎｄ  Ｖとの周波数帯域において、ＧＳＭ方式及びＷ−ＣＤＭＡ方式がそれぞれ運用されている場合の周波数配置の例を表したものである。図５は、ＧＳＭ  １９００  ＢａｎｄとＷ−ＣＤＭＡ  ＦＤＤ  Ｂａｎｄ  ＩＩとの周波数帯域において、ＧＳＭ方式及びＷ−ＣＤＭＡ方式がそれぞれ運用されている場合の周波数配置の例を表したものである。【００２６】
図５においては、ＧＳＭ  １８００  ＢａｎｄとＷ−ＣＤＭＡ  ＦＤＤ  Ｂａｎｄ  ＩＩＩとの周波数帯域も表しており、Ｗ−ＣＤＭＡ  ＦＤＤ  Ｂａｎｄ  ＩＩの周波数が運用されている場合に、ＧＳＭ  １８００  Ｂａｎｄ及びＧＳＭ  １９００  Ｂａｎｄのセルサーチ処理が問題となることが示されている。【００２７】
本発明は、以上のような現状の移動通信システムにおける問題点に鑑みてなされたものであり、実際に運用されている周波数を効率よく検出することができる移動通信システム、同移動通信システムに用いる携帯端末装置及びそれらに用いる周波数検出方法並びに同方法を実行するプログラムを提供することを目的とする。
【課題を解決するための手段】
【００２８】
上記の目的を達成するため、本発明は、複数の無線通信方式及び複数の周波数帯域にそれぞれ対応する通信機能を有する携帯端末装置と、前記携帯端末装置との間において通信を行う基地局と、からなる移動通信システムであって、前記携帯端末装置は制御装置を備えており、前記制御装置は、周波数情報として前記無線通信方式の周波数帯域毎に実際に運用される周波数を示す実運用周波数情報と実際に運用されていない周波数を示す未使用周波数情報とを管理し、前記実運用周波数情報から未使用周波数を決定し、その決定された未使用周波数によって前記無線通信方式の周波数帯域毎の未使用周波数情報を決定し、前記未使用周波数情報により管理された無線通信方式の周波数を対象としたセルサーチ処理の実施を抑止するものであることを特徴とする移動通信システムを提供する。【００２９】
前記制御装置は、前記未使用周波数情報により管理された無線通信方式の周波数以外の、実際に運用されている可能性がある無線通信方式の周波数のみを対象として前記セルサーチ処理を行うことが好ましい。【００３０】
前記制御装置は、過去に使用していた少数の周波数のみを対象としたセルサーチ処理と、過去に使用していた無線通信方式及び周波数帯域を対象としたセルサーチ処理とを併用して前記セルサーチ処理を実施することが好ましい。【００３１】
前記制御装置は、前記実運用周波数情報として、前記セルサーチ処理において実際に検出した周波数を記憶することが好ましい。【００３２】
前記制御装置は、前記実運用周波数情報として、前記基地局から送信される報知情報及び測定制御情報の隣接セル情報に含まれている周波数の情報を記憶することが好ましい。【００３３】
前記制御装置は、前記実運用周波数情報を、任意の時点において、運用が確認されている周波数のみを用いて随時更新することが好ましい。【００３４】
前記制御装置は、任意の時点において、運用が確認されている周波数を過去の実運用周波数情報として記憶しておくことが好ましい。【００３５】
前記制御装置は、任意の時点において運用が確認されている周波数と過去に運用が確認されていた周波数とによって、現在の実運用周波数情報と過去の実運用周波数情報とを個別に記憶することが好ましい。【００３６】
前記制御装置は、前記携帯端末装置が圏外にいる時間が予め定められた時間を過ぎたとき、前記携帯端末装置が新しい国に移動したとき、あるいは、前記携帯端末装置が有するＧＰＳ（Ｇｌｏｂａｌ  Ｐｏｓｉｔｉｏｎｉｎｇ  Ｓｙｓｔｅｍ）機能により前記携帯端末装置の移動を検出したときには、前記過去の実運用周波数情報を削除することが好ましい。【００３７】
前記制御装置は、前記実運用周波数情報を国毎に管理し、あるいは、前記実運用周波数情報を前記携帯端末装置が有するＧＰＳ（Ｇｌｏｂａｌ  Ｐｏｓｉｔｉｏｎｉｎｇ  Ｓｙｓｔｅｍ）機能に基づく前記携帯端末装置の位置情報とともに個別に管理することが好ましい。【００３８】
前記携帯端末装置は、例えば、携帯電話装置として構成することができる。【００３９】
さらに、本発明は、複数の無線通信方式及び複数の周波数帯域にそれぞれ対応する通信機能を有し、前記通信機能により基地局との間で通信を行う携帯端末装置であって、前記携帯端末装置は制御装置を備えており、前記制御装置は、周波数情報として前記無線通信方式の周波数帯域毎に実際に運用される周波数を示す実運用周波数情報と実際に運用されていない周波数を示す未使用周波数情報とを管理し、前記実運用周波数情報から未使用周波数を決定し、その決定された未使用周波数によって前記無線通信方式の周波数帯域毎の未使用周波数情報を決定し、前記未使用周波数情報により管理された無線通信方式の周波数を対象としたセルサーチ処理の実施を抑止するものであることを特徴とする携帯端末装置を提供する。【００４０】
本発明に係る携帯端末装置においては、前記制御装置は、前記未使用周波数情報により管理された無線通信方式の周波数以外の、実際に運用されている可能性がある無線通信方式の周波数のみを対象として前記セルサーチ処理を行うことが好ましい。【００４１】
本発明に係る携帯端末装置においては、前記制御装置は、過去に使用していた少数の周波数のみを対象としたセルサーチ処理と、過去に使用していた無線通信方式及び周波数帯域を対象としたセルサーチ処理とを併用して前記セルサーチ処理を実施することが好ましい。【００４２】
本発明に係る携帯端末装置においては、前記制御装置は、前記実運用周波数情報として、前記セルサーチ処理において実際に検出した周波数を記憶することが好ましい。【００４３】
本発明に係る携帯端末装置においては、前記制御装置は、前記実運用周波数情報として、前記基地局から送信される報知情報及び測定制御情報の隣接セル情報に含まれている周波数の情報を記憶することが好ましい。【００４４】
本発明に係る携帯端末装置においては、前記制御装置は、前記実運用周波数情報を、任意の時点において、運用が確認されている周波数のみを用いて随時更新することが好ましい。【００４５】
本発明に係る携帯端末装置においては、前記制御装置は、任意の時点において、運用が確認されている周波数を過去の実運用周波数情報として記憶しておくことが好ましい。【００４６】
本発明に係る携帯端末装置においては、前記制御装置は、任意の時点において運用が確認されている周波数と過去に運用が確認されていた周波数とによって、現在の実運用周波数情報と過去の実運用周波数情報とを個別に記憶することが好ましい。【００４７】
本発明に係る携帯端末装置においては、前記制御装置は、前記携帯端末装置が圏外にいる時間が予め定められた時間を過ぎたとき、前記携帯端末装置が新しい国に移動したとき、あるいは、前記携帯端末装置が有するＧＰＳ（Ｇｌｏｂａｌ  Ｐｏｓｉｔｉｏｎｉｎｇ  Ｓｙｓｔｅｍ）機能により前記携帯端末装置の移動を検出したときには、前記過去の実運用周波数情報を削除することが好ましい。【００４８】
本発明に係る携帯端末装置においては、前記制御装置は、前記実運用周波数情報を国毎に管理し、あるいは、前記実運用周波数情報を前記携帯端末装置が有するＧＰＳ（Ｇｌｏｂａｌ  Ｐｏｓｉｔｉｏｎｉｎｇ  Ｓｙｓｔｅｍ）機能に基づく前記携帯端末装置の位置情報とともに個別に管理することが好ましい。【００４９】
本発明に係る携帯端末装置は、例えば、携帯電話装置として構成することができる。【００５０】
さらに、本発明は、複数の無線通信方式及び複数の周波数帯域にそれぞれ対応する通信機能を有する携帯端末装置と基地局との間で行われる通信の周波数を検出する周波数検出方法であって、周波数情報として前記無線通信方式の周波数帯域毎に実際に運用される周波数を示す実運用周波数情報と実際に運用されていない周波数を示す未使用周波数情報とを管理する第一の過程と、前記実運用周波数情報から未使用周波数を決定する第二の過程と、決定された未使用周波数によって前記無線通信方式の周波数帯域毎の未使用周波数情報を決定する第三の過程と、前記未使用周波数情報により管理された無線通信方式の周波数を対象としたセルサーチ処理の実施を抑止する第四の過程と、を備え、前記第一乃至第四の過程は前記携帯端末装置により実行されるものであることを特徴とする周波数検出方法を提供する。【００５１】
本発明に係る周波数検出方法においては、前記携帯端末装置が、前記未使用周波数情報により管理された無線通信方式の周波数以外の実際に運用されている可能性がある無線通信方式の周波数のみを対象として前記セルサーチ処理を行うことが好ましい。【００５２】
本発明に係る周波数検出方法においては、前記携帯端末装置が、過去に使用していた少数の周波数のみを対象としたセルサーチ処理と、過去に使用していた無線通信方式及び周波数帯域を対象としたセルサーチ処理とを併用して前記セルサーチ処理を実施することが好ましい。【００５３】
本発明に係る周波数検出方法においては、前記携帯端末装置が、前記実運用周波数情報として、前記セルサーチ処理において実際に検出した周波数を記憶することが好ましい。【００５４】
本発明に係る周波数検出方法においては、前記携帯端末装置が、前記実運用周波数情報として、前記基地局から送信される報知情報及び測定制御情報の隣接セル情報に含まれている周波数の情報を記憶することが好ましい。【００５５】
本発明に係る周波数検出方法においては、前記携帯端末装置が、前記実運用周波数情報を、任意の時点において、運用が確認されている周波数のみを用いて随時更新することが好ましい。【００５６】
本発明に係る周波数検出方法においては、前記携帯端末装置が、任意の時点において、運用が確認されている周波数を過去の実運用周波数情報として記憶しておくことが好ましい。【００５７】
本発明に係る周波数検出方法においては、前記携帯端末装置が、任意の時点において、運用が確認されている周波数と過去に運用が確認されていた周波数とによって現在の実運用周波数情報と過去の実運用周波数情報とを個別に記憶することが好ましい。【００５８】
本発明に係る周波数検出方法においては、前記携帯端末装置は、前記携帯端末装置が圏外にいる時間が予め定められた時間を過ぎたとき、前記携帯端末装置が新しい国に移動したとき、あるいは、前記携帯端末装置が有するＧＰＳ（Ｇｌｏｂａｌ  Ｐｏｓｉｔｉｏｎｉｎｇ  Ｓｙｓｔｅｍ）機能により前記携帯端末装置の移動を検出したときには、前記過去の実運用周波数情報を削除することが好ましい。【００５９】
本発明に係る周波数検出方法においては、前記携帯端末装置は、前記実運用周波数情報を国毎に管理し、あるいは、前記実運用周波数情報を前記携帯端末装置が有するＧＰＳ（Ｇｌｏｂａｌ  Ｐｏｓｉｔｉｏｎｉｎｇ  Ｓｙｓｔｅｍ）機能に基づく前記携帯端末装置の位置情報とともに個別に管理することが好ましい。【００６０】
さらに、本発明は、複数の無線通信方式及び複数の周波数帯域にそれぞれ対応する通信機能を有する携帯端末装置と基地局との間で行われる通信の周波数を検出する周波数検出方法を前記携帯端末装置に内蔵されているコンピュータに実行させるためのプログラムであって、前記プログラムが行う処理は、周波数情報として前記無線通信方式の周波数帯域毎に実際に運用される周波数を示す実運用周波数情報と実際に運用されていない周波数を示す未使用周波数情報とを管理する第一の処理と、前記実運用周波数情報から未使用周波数を決定する第二の処理と、決定された未使用周波数によって前記無線通信方式の周波数帯域毎の未使用周波数情報を決定する第三の処理と、前記未使用周波数情報により管理された無線通信方式の周波数を対象としたセルサーチ処理の実施を抑止する第四の処理と、からなるものであるプログラムを提供する。【００６１】
以上のように、本発明においては、２つまたは２つ以上の異なる無線通信方式が同一の周波数帯域を使用する可能性がある場合、複数の無線通信方式及び複数の周波数帯域に対応した携帯端末装置が周波数を検出する際に、運用されている無線通信方式と周波数とから、それぞれの周波数帯域において使用されていない周波数を決定することによって、セルサーチ処理を実施する周波数を限定して、実際に運用されている周波数を効率よく検出する。【００６２】
また、本発明においては、２つまたは２つ以上の異なる無線通信方式が同一の周波数帯域を使用する可能性がある場合、複数の無線通信方式及び複数の周波数帯域に対応した携帯端末装置が周波数を検出する際に、ある特定の周波数で運用されている無線通信方式と周波数とを記憶しておき、その無線通信方式と周波数とに基づいて、それぞれの周波数帯域において使用されていない周波数を決定する。本発明においては、その使用されていない周波数を除く周波数についてのみセルサーチ処理を実施することによって、実際に運用されている周波数を効率よく検出することが可能となる。
【発明の効果】
【００６３】
本発明によれば、複数の無線通信方式及び複数の周波数帯域にそれぞれ対応する通信機能を有する携帯端末装置が基地局と通信を行う場合において、実際に運用されている周波数を効率よく検出することができる。
【図面の簡単な説明】
【００６４】
【図１】本発明の一実施形態に係る移動通信システムの構成を示すブロック図である。
【図２】８００ＭＨｚから１０００ＭＨｚまでの間で運用されるＧＳＭ方式の周波数帯域とＷ−ＣＤＭＡ  ＦＤＤ方式の周波数帯域とを表した図である。
【図３】１７００ＭＨｚから２２００ＭＨｚまでの間で運用されるＧＳＭ方式の周波数帯域とＷ−ＣＤＭＡ  ＦＤＤ方式の周波数帯域とを表した図である。
【図４】ＧＳＭ  ８５０  ＢａｎｄとＷ−ＣＤＭＡ  ＦＤＤ  Ｂａｎｄ  Ｖとの周波数帯域において、ＧＳＭ方式及びＷ−ＣＤＭＡ方式がそれぞれ運用されている場合の周波数配置の例を表した図である。
【図５】ＧＳＭ  １９００  ＢａｎｄとＷ−ＣＤＭＡ  ＦＤＤ  Ｂａｎｄ  ＩＩとの周波数帯域において、ＧＳＭ方式及びＷ−ＣＤＭＡ方式がそれぞれ運用されている場合の周波数配置の例を表した図である。
【図６】電源オン時、圏外時、セル待ち受け時において、携帯電話装置が繰り返し実施する処理の流れを表すフローチャートである。
【図７】候補周波数によるセルサーチ処理（図６のステップＳ４）の詳細内容を表すフローチャートである。
【図８】未使用周波数の決定を行う方法（図７のステップＳ１６）を表す図である。
【図９】未使用周波数の決定を行う方法（図７のステップＳ１６）を表す図である。
【図１０】未使用周波数の決定を行う方法（図７のステップＳ１６）を表す図である。
【図１１】未使用周波数の決定を行う方法（図７のステップＳ１６）を表す図である。
【図１２】未使用周波数の決定を行う処理（図７のステップＳ１６）の流れを表すフローチャートである。
【符号の説明】
【００６５】
１  携帯電話装置
２−１〜２−Ｎ  ＧＳＭ方式の基地局
３−１〜３−Ｎ  Ｗ−ＣＤＭＡ方式の基地局
１１  ＧＳＭ方式アンテナ
１２  ＧＳＭ方式無線受信部
１３  ＧＳＭ方式セルサーチ処理部
１４  Ｗ−ＣＤＭＡ方式アンテナ
１５  Ｗ−ＣＤＭＡ方式無線受信部
１６  Ｗ−ＣＤＭＡ方式セルサーチ処理部
１７  制御部
１８  記憶部
２０  ＧＳＭ方式の基地局制御装置
３０  Ｗ−ＣＤＭＡ方式の基地局制御装置
１００  ＧＳＭ方式ネットワーク
２００  Ｗ−ＣＤＭＡ方式ネットワーク
【発明を実施するための最良の形態】
【００６６】
次に、本発明の一実施形態について図面を参照して説明する。【００６７】
図１は本発明の一実施形態に係る移動通信システムの構成を示すブロック図である。【００６８】
図１に示すように、本実施形態に係る移動通信システムは、携帯電話装置１と、携帯電話装置１との間において通信を行うＧＳＭ方式ネットワーク１００と、携帯電話装置１との間において通信を行うＷ−ＣＤＭＡ方式ネットワーク２００と、から構成されている。【００６９】
携帯電話装置１は、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）方式アンテナ１１と、ＧＳＭ方式無線受信部１２と、ＧＳＭ方式セルサーチ処理部１３と、Ｗ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）方式アンテナ１４と、Ｗ−ＣＤＭＡ方式無線受信部１５と、Ｗ−ＣＤＭＡ方式セルサーチ処理部１６と、制御部１７と、記憶部１８と、を備えて構成されている。【００７０】
ＧＳＭ方式ネットワーク１００は、ＧＳＭ方式のＮ個の基地局２−１、２−２、・・・、２−Ｎと、これらの基地局２−１、２−２、・・・、２−Ｎの作動を制御するＧＳＭ方式の基地局制御装置２０と、から構成されている。【００７１】
Ｗ−ＣＤＭＡ方式ネットワーク２００は、Ｗ−ＣＤＭＡ方式のＮ個の基地局３−１、３−２、・・・、３−Ｎと、これらの基地局３−１、３−２、・・・、３−Ｎの作動を制御するＷ−ＣＤＭＡ方式の基地局制御装置３０と、から構成されている。【００７２】
携帯電話装置１のＧＳＭ方式アンテナ１１は、ＧＳＭ方式ネットワーク１００において、基地局制御装置２０に制御される基地局２−１乃至２−Ｎからの電波を受信する。【００７３】
ＧＳＭ方式無線受信部１２はＧＳＭ方式アンテナ１１が受信した無線信号を復調する。【００７４】
ＧＳＭ方式セルサーチ処理部１３は制御部１７の要求に基づいてＧＳＭ方式無線受信部１２の復調処理を制御し、受信信号の電界強度の測定とＧＳＭ方式のセルに同期するセルサーチ処理とを行い、ＧＳＭ方式の基地局２−１乃至２−Ｎから送信される報知情報を取得する。【００７５】
携帯電話装置１のＷ−ＣＤＭＡ方式アンテナ１４は、Ｗ−ＣＤＭＡ方式ネットワーク２００において、基地局制御装置３０に制御される基地局３−１乃至３−Ｎからの電波を受信する。【００７６】
Ｗ−ＣＤＭＡ無線受信部１５はＷ−ＣＤＭＡ方式アンテナ１４が受信した無線信号を復調する。【００７７】
Ｗ−ＣＤＭＡ方式セルサーチ処理部１６は制御部１７の要求に基づいてＷ−ＣＤＭＡ方式無線受信部１５の復調処理を制御し、受信信号の電界強度の測定とＷ−ＣＤＭＡ方式のセルに同期するセルサーチ処理とを行い、Ｗ−ＣＤＭＡ方式の基地局３−１乃至３−Ｎから送信される報知情報を取得する。【００７８】
制御部１７はＧＳＭ方式セルサーチ処理部１３で検出したＧＳＭセルのＤＬ（ダウンリンク：基地局から移動局への方向）の周波数によって、記憶部１８に記憶されているＧＳＭ実運用周波数情報を更新するとともに、Ｗ−ＣＤＭＡ方式セルサーチ処理部１６で検出したＷ−ＣＤＭＡセルのＤＬの周波数によって、記憶部１８に記憶されているＷ−ＣＤＭＡ実運用周波数情報を更新する。【００７９】
さらに、制御部１７は、それらの実運用周波数情報から、それぞれの周波数帯域において使用されていない未使用周波数を決定し、決定された未使用周波数を用いて記憶部１８に記憶されているＧＳＭ未使用周波数情報及びＷ−ＣＤＭＡ未使用周波数情報を更新する。【００８０】
また、制御部１７は、ＧＳＭ方式セルサーチ処理部１３またはＷ−ＣＤＭＡ方式セルサーチ処理部１６に対して、未使用周波数を除いた、運用されている可能性がある周波数のみでセルサーチ処理を実施するように要求する。【００８１】
記憶部１８はＧＳＭ方式とＷ−ＣＤＭＡ方式とのそれぞれの周波数帯域毎に周波数情報を記憶する。【００８２】
周波数情報は実運用周波数情報と未使用周波数情報とからなる。【００８３】
それぞれの周波数情報は、図２乃至図５に示すようなＧＳＭ方式とＷ−ＣＤＭＡ  ＦＤＤ（Ｆｒｅｑｕｅｎｃｙ  Ｄｉｖｉｓｉｏｎ  Ｄｕｐｌｅｘ）方式とで使用される周波数帯域において、実際に運用される２００ＫＨｚ間隔で設定可能な全ての中心周波数を表現するための情報であり、例えば、それぞれの中心周波数に換算可能なビット（ＢＩＴ）列として表現することができる情報である。【００８４】
また、記憶部１８は、周波数情報として、ＵＬ（アップリンク：移動局から基地局への方向）の周波数とＤＬの周波数をそれぞれ記憶しても良く、あるいは、ＵＬの周波数とＤＬの周波数との中心周波数の間隔が一定となることから、ＵＬの周波数とＤＬの周波数とを１組の情報として記憶することもできる。【００８５】
図６は、電源オン時、圏外時及びセル待ち受け時において、携帯電話装置１が繰り返し実施する処理の流れを表すフローチャートであり、図７は図６に示した候補周波数によるセルサーチ処理（ステップＳ４）の詳細内容を表すフローチャートである。また、図８乃至図１１は図７に示した未使用周波数の決定（ステップＳ１６）を行う方法を表す図であり、図１２は図７の未使用周波数の決定（ステップＳ１６）を行う処理の流れを表すフローチャートである。【００８６】
以下、図１乃至図１２を参照して、本発明の一実施形態に係る移動通信システムにおける周波数検出方法について説明する。【００８７】
制御部１７は、例えば、中央処理装置（ＣＰＵ）から構成され、記憶部１８に格納されたプログラムに従って動作を行う。すなわち、図６と図７と図１２とに示す処理動作は制御部１７が記憶部１８に格納されたプログラムを実行することにより実現される。【００８８】
図６を参照して、電源オン時、圏外時及びセル待ち受け時において、携帯電話装置１が繰り返し実施する処理の流れについて説明する。【００８９】
まず、制御部１７は、記憶部１８に記憶されている周波数情報に基づいて、受信電界強度測定を行う複数の候補周波数を決定する（ステップＳ１）。【００９０】
制御部１７は、ＧＳＭ方式セルサーチ処理部１３またはＷ−ＣＤＭＡ方式セルサーチ処理部１６に対して、ステップＳ１において決定した複数候補周波数のみで受信電界強度測定を行うように要求する。ＧＳＭ方式セルサーチ処理部１３またはＷ−ＣＤＭＡ方式セルサーチ処理部１６は制御部１７の要求に基づいて複数候補周波数の受信電界強度測定を行う（ステップＳ２）。【００９１】
制御部１７は、ステップＳ２において一定の受信電界強度以上の周波数を検出したか否かを判定する（ステップＳ３）。【００９２】
一定の受信電界強度以上の周波数を検出できなかった場合（ステップＳ３のＮＯ）、受信電界強度測定を行う複数候補周波数の決定を再度実施する（ステップＳ１）。【００９３】
一方、制御部１７は、一定の受信電界強度以上の周波数を検出できた場合（ステップＳ３のＹＥＳ）、ステップＳ２における受信電界強度測定の結果と記憶部１８に記憶されている周波数情報とから、候補周波数によるセルサーチ処理を実施する（ステップＳ４）。【００９４】
その後に、制御部１７は、上記のステップＳ１からステップＳ４の一連の流れの結果に基づいて、セルサーチ処理を終了するか否かを判定する（ステップＳ５）。【００９５】
ＧＳＭ方式またはＷ−ＣＤＭＡ方式のセルが運用されている可能性がある候補周波数を全て検索し終えた場合や、電源オン時、圏外時において、選択したネットワークを検出して待ち受けに移行する場合、制御部１７はセルサーチ処理を終了する（ステップＳ５のＹＥＳ）。【００９６】
セルサーチ処理を終了しない場合には（ステップＳ５のＮＯ）、ステップＳ１乃至ステップＳ４の処理を繰り返し実行する。【００９７】
図６のステップＳ１における受信電界強度測定を行う複数候補周波数の決定方法としては、（１）記憶部１８に記憶されている実運用周波数情報に基づいて、直前や過去に使用していた少数の周波数に限定する方法、（２）記憶部１８に記憶されている実運用周波数情報に基づいて、直前や過去に使用していた無線通信方式、周波数帯域に限定する方法、（３）周波数を限定せずに全ての周波数を候補とする方法、（４）記憶部１８に記憶されている未使用周波数情報に基づいて、未使用周波数を除いた、運用されている可能性がある周波数に限定する方法等が考えられる。【００９８】
従来の方法においても、上記の（１）、（２）、（３）と同様の処理が実施されており、本発明においては（４）の方法を実施することが特徴であるが、実際には、（４）の方法だけではなく、携帯電話装置１の状態に合わせて、（１）、（２）、（３）の方法も実施する。【００９９】
続いて、図７を参照して、候補周波数によるセルサーチ処理（図６のステップＳ４）について説明する。【０１００】
制御部１７は受信電界強度測定（図６のステップＳ２）の結果と、記憶部１８に記憶されている周波数情報とから、受信電界強度の強い順にセルサーチ処理を行う候補周波数を決定する（ステップＳ１１）。【０１０１】
制御部１７は、ＧＳＭ方式セルサーチ処理部１３またはＷ−ＣＤＭＡ方式セルサーチ処理部１６に対して、ステップＳ１１において決定した候補周波数のセルサーチ処理を行うように要求する。【０１０２】
ＧＳＭ方式セルサーチ処理部１３またはＷ−ＣＤＭＡ方式セルサーチ処理部１６はと、制御部１７の要求に基づいて、候補周波数のセルサーチ処理を行う（ステップＳ１２）。【０１０３】
制御部１７はステップＳ１２のセルサーチ処理によりセルを検出できたか否かを判定する（ステップＳ１３）。【０１０４】
セルを検出できなかった場合（ステップＳ１３のＮＯ）、制御部１７はステップＳ１１に戻って、セルサーチ処理を行う候補周波数の決定を再度実施する。【０１０５】
セルを検出できた場合（ステップＳ１３のＹＥＳ）、制御部１７は報知情報取得処理を行う（ステップＳ１４）。【０１０６】
制御部１７はＧＳＭ方式セルサーチ処理部１３がステップＳ１２で検出したＧＳＭセルのＤＬの周波数に基づいてＧＳＭセルのＵＬの周波数を算出し、そのＧＳＭセルのＤＬの周波数とＵＬの周波数とによって、記憶部１８に記憶されているＧＳＭ実運用周波数情報を更新する（ステップＳ１５）。【０１０７】
さらに、制御部１７はＷ−ＣＤＭＡ方式セルサーチ処理部１６がステップＳ１２において検出したＷ−ＣＤＭＡセルのＤＬの周波数に基づいてＷ−ＣＤＭＡセルのＵＬの周波数を算出し、そのＷ−ＣＤＭＡセルのＤＬの周波数とＵＬの周波数とによって、記憶部１８のＷ−ＣＤＭＡ実運用周波数情報を更新する（ステップＳ１５）。【０１０８】
この後、制御部１７は、実運用周波数に基づいて、ＧＳＭ未使用周波数及びＷ−ＣＤＭＡ未使用周波数を決定し（ステップＳ１６）、記憶部１８のＧＳＭ未使用周波数情報及びＷ−ＣＤＭＡ方式の未使用周波数情報を更新する（ステップＳ１７）。【０１０９】
次いで、上記のステップＳ１１からステップＳ１７の一連の流れの結果に基づいて、制御部１７はセルサーチ処理を終了するか否かを判定する（ステップＳ１８）。【０１１０】
受信電界強度測定（図６のステップＳ１２）において一定の受信電界強度以上を検出した候補周波数を全て検索し終えた場合や、電源オン時、圏外時において、選択したネットワークを検出して待ちうけに移行する場合、制御部１７はセルサーチ処理を終了することになる（ステップＳ１８のＹＥＳ）。【０１１１】
セルサーチ処理を終了しない場合には（ステップＳ１８のＮＯ）、ステップＳ１１乃至ステップＳ１７の処理を繰り返し実行する。【０１１２】
続いて、図８乃至図１１を参照して、未使用周波数の決定（図７のステップＳ１６）を行う方法について説明する。【０１１３】
実際に異なる無線通信方式を運用する際には、相互の無線通信方式間における干渉を避けるためのガードバンド（いずれの無線通信方式においても運用されていない周波数帯域）が設定されることも考えられるが、図８乃至図１１では、ガードバンドが存在しない例を表している。【０１１４】
図８はＧＳＭ方式とＷ−ＣＤＭＡ方式とが隣接した周波数で運用されている場合の周波数配置の例を表す図である。【０１１５】
図８では、説明を簡単にするために、ＧＳＭ  ８５０  ＢａｎｄとＷ−ＣＤＭＡ  ＦＤＤ  Ｂａｎｄ  ＶとのＤＬの周波数帯域に相当する８７３．０ＭＨｚから８８２．０ＭＨｚの中心周波数を記載している。つまり、図８は、８７３．２ＭＨｚから８７４．０ＭＨｚまでの間の６個分の周波数と、８７９．２ＭＨｚから８８２．０ＭＨｚまでの間の１５個分の周波数とではＧＳＭ方式が運用されており、８７６．６ＭＨｚの周波数ではＷ−ＣＤＭＡ方式が運用されている例を示している。【０１１６】
図８においては、Ｗ−ＣＤＭＡ方式の中心周波数の間隔をＸＭＨｚとして表しており、Ｗ−ＣＤＭＡ方式の拡散帯域は一般的に５ＭＨｚであるため、Ｗ−ＣＤＭＡ方式の中心周波数の間隔Ｘが４．８ＭＨｚになるような図を示している（具体的には、８７４．２ＭＨｚから８７９．０ＭＨｚ）。【０１１７】
また、ＧＳＭ方式の搬送波間隔は４００ＫＨｚ（２００ＫＨｚインタリーブ）であるため、ＧＳＭ方式の中心周波数の間隔は４００ＫＨｚとしている。【０１１８】
図９は、Ｗ−ＣＤＭＡ方式のセルを検出した場合における実運用周波数情報と未使用周波数情報との関係を表す図である。【０１１９】
以下、図９を参照して、Ｗ−ＣＤＭＡ方式のセルを検出した場合に、未使用周波数の決定（図７のステップＳ１６）を行う方法について説明する。【０１２０】
無線通信方式の相互の干渉を避けるために、それぞれ設定される周波数が重なって運用されることはないと考えられるため、Ｗ−ＣＤＭＡ方式のセルを検出した場合には、その前後Ｘ／２ＭＨｚに他の周波数が存在しないと考えられる。【０１２１】
本実施形態においては、その周波数が存在しないと考えられる未使用周波数帯域に含まれる中心周波数を未使用周波数として定義している。未使用周波数帯域は、周波数が存在しないことを確実とするために、ｄＸ（例えば、４００ＫＨｚ程度）を導入して、（Ｘ−ｄＸ）ＭＨｚとして定義する。【０１２２】
Ｗ−ＣＤＭＡ方式のセルを検出した場合、Ｗ−ＣＤＭＡ実運用周波数と同じ周波数帯域については、そのＷ−ＣＤＭＡ実運用周波数を除いた、Ｗ−ＣＤＭＡ実運用周波数の前後（Ｘ−ｄＸ）ＭＨｚの周波数帯域を未使用周波数とする。【０１２３】
Ｗ−ＣＤＭＡ実運用周波数と異なる周波数帯域については、そのＷ−ＣＤＭＡ実運用周波数の前後（Ｘ−ｄＸ）ＭＨｚの周波数帯域を未使用周波数とする。【０１２４】
また、Ｗ−ＣＤＭＡ実運用周波数の前後（Ｘ／２−ｄＸ／２）ＭＨｚの周波数帯域はＧＳＭ未使用周波数とする。【０１２５】
図１０及び図１１はＧＳＭ方式のセルを検出した場合における実運用周波数情報と未使用周波数情報との関係を表す図である。【０１２６】
以下、図１０を参照して、ＧＳＭ方式のセルを検出した場合に、未使用周波数の決定（図７のステップＳ１６）を行う方法について説明する。【０１２７】
ＧＳＭ方式のセルを検出した場合、ＧＳＭ方式のセルは前後４００ＫＨｚの周波数に存在すると考えられるため、ＧＳＭ実運用周波数と同じ周波数帯域については、そのＧＳＭ実運用周波数の前後２００ＫＨｚの周波数を未使用周波数とする。【０１２８】
ＧＳＭ実運用周波数と異なる周波数帯域については、そのＧＳＭ実運用周波数とＧＳＭ実運用周波数の前後２００ＫＨｚの周波数を未使用周波数とする。【０１２９】
また、Ｗ−ＣＤＭＡ方式の中心周波数は、ＧＳＭ実運用周波数の前後Ｘ／２ＭＨｚには存在しないと考えられる。このため、上記と同様に、ｄＸを用いて、ＧＳＭ実運用周波数の前後（Ｘ／２−ｄＸ／２）ＭＨｚの周波数帯域はＷ−ＣＤＭＡ未使用周波数とする。【０１３０】
図１１は、さらにＧＳＭ方式のセルを検出した場合に、そのＧＳＭ実運用周波数の前後（Ｘ／２−ｄＸ／２）ＭＨｚの周波数帯域をもＷ−ＣＤＭＡ未使用周波数とする例を示している。【０１３１】
図１２を参照して、未使用周波数の決定（図７のステップＳ１６）を行う処理の流れについて説明する。【０１３２】
制御部１７は、上述した方法に従って、実運用周波数のＤＬ周波数に基づいて未使用周波数を決定する（ステップＳ２１）。【０１３３】
さらに、制御部１７は、実運用周波数のＵＬ周波数に基づいて未使用周波数を決定する（ステップＳ２２）。【０１３４】
制御部１７は、上記のステップＳ２１及びステップＳ２２において決定した未使用周波数が各周波数帯域のＤＬ周波数に含まれる場合、そのＤＬ周波数を、そのＤＬ周波数に対応するＵＬ周波数とともに、各周波数帯域の未使用周波数とする（ステップＳ２３）。【０１３５】
制御部１７は、上記のステップＳ２１及びステップＳ２２において決定した未使用周波数が各周波数帯域のＵＬ周波数に含まれる場合、そのＵＬ周波数を、そのＵＬ周波数に対応するＤＬ周波数とともに、各周波数帯域の未使用周波数とする（ステップＳ２４）。【０１３６】
このように、本実施形態においては、ある特定の周波数で運用されている無線通信方式と周波数とから、それぞれの無線通信方式の周波数帯域において使用されていない周波数を決定し、その使用されていない周波数を対象としたセルサーチ処理を実施しない。このため、無駄なセルサーチ処理を省略することができ、電流消費量を削減することができる。特に、異なる無線通信方式が同一の周波数帯域で混在している場合には、無駄なセルサーチ処理をほとんど実施しないようにすることができる。【０１３７】
また、本実施形態においては、ある特定の周波数で運用されている無線通信方式と周波数とから、それぞれの無線通信方式の周波数帯域において使用されていない周波数を決定し、その使用されていない周波数を除き、実際に運用されている可能性がある無線通信方式の周波数のみを対象としてセルサーチ処理を実施する。このため、セルサーチ時間を短縮し、実際に運用されている周波数を効率よく検出することができる。特に、異なる無線通信方式が同一の周波数帯域で混在している場合には、より効果を発揮する。【０１３８】
さらに、本実施形態においては、未使用周波数を除く、運用されている可能性がある周波数のみを対象としたセルサーチ処理を実施するだけでなく、直前や過去に使用していた少数の周波数のみを対象としたセルサーチ処理と、直前や過去に使用していた無線通信方式、周波数帯域を対象としたセルサーチ処理とを併用して実施することによって、セルサーチ時間や消費電流を削減することができ、実際に運用されている周波数を効率よく検出することができる。【０１３９】
上述した本発明の一実施形態においては、セルサーチ処理において実際に検出した周波数を実運用周波数として記憶する方法を示しているが、携帯電話装置１が実際には実運用周波数を検出していない場合であっても、基地局から送信される報知情報や測定制御情報の隣接セル情報に含まれている周波数の情報は実際に運用されている周波数と考えられるため、この周波数を実運用周波数として記憶することも可能である。この方法によれば、実運用周波数情報が増えることによって、実運用周波数に基づいて決定する未使用周波数情報が増えるため、より効果的に、実際に運用されている周波数を検出することができる。【０１４０】
上述した本発明の一実施形態においては、既に検出できなくなった周波数の扱いについて触れていないが、検出できなくなった周波数については、実運用周波数情報から削除して、実運用周波数に基づいて決定する未使用周波数情報を再決定することが必要となる。【０１４１】
実運用周波数情報の管理としては、（１）ある時点で運用が確認できている周波数のみで随時更新する方法、（２）随時更新するのではなく、過去の実運用周波数情報として削除せずに記憶しておく方法、（３）ある時点で運用が確認できている周波数と、過去に運用が確認できていた周波数とによって、現在の実運用周波数情報と、過去の実運用周波数情報とをそれぞれ別々に記憶しておく方法等が考えられる。【０１４２】
上記の（３）の方法においては、過去の実運用周波数情報を、（Ａ）圏外時間の経過とともに削除したり、（Ｂ）新しい国に移動した場合に削除したり、（Ｃ）ＧＰＳ（Ｇｌｏｂａｌ  Ｐｏｓｉｔｉｏｎｉｎｇ  Ｓｙｓｔｅｍ）と連動して、携帯電話装置１の移動を検出した場合に削除したりすることが考えられる。これらの方法を採用することにより、より効果的に、実際に運用している周波数を検出することができる。【０１４３】
また、実運用周波数情報は、国毎に管理したり、ＧＰＳと連動して位置情報とともに個別に管理したりすることによって、国際ローミングのために各国を移動する場合においても、それぞれの国における周波数の運用状況に合わせて、効果的に、実際に運用している周波数を検出することができる。
【図１】
2007108305.tif 000003
【図２】
2007108305.tif 000004
【図３】
2007108305.tif 000005
【図４】
2007108305.tif 000006
【図５】
2007108305.tif 000007
【図６】
2007108305.tif 000008
【図７】
2007108305.tif 000009
【図８】
2007108305.tif 000010
【図９】
2007108305.tif 000011
【図１０】
2007108305.tif 000012
【図１１】
2007108305.tif 000013
【図１２】
2007108305.tif 000014
【国際調査報告】
2007108305.tif 000015
2007108305.tif 000016
2007108305.tif 000017